(57)【要約】【課題】肌に対する固定刃の密着性を高め、毛をより短く切断することができる体毛切断装置を提供する。【解決手段】体毛切断装置（電気カミソリ１）は、本体部１０と、本体部１０から突出するように設けられ、肌Ｓに当接する長尺な固定刃５０であって、それぞれ短手方向（Ｙ軸方向）に沿って延設されるとともに長手方向（Ｘ軸方向）に沿って配列された複数のスリット（第一スリット５１１）を有する固定刃５０と、固定刃５０の長手方向に沿って往復直線運動しながら、固定刃５０に対して摺動する可動刃６０と、固定刃５０と隣り合う位置に配置されて、肌Ｓの法線方向Ｎに対する固定刃５０の傾きを抑制するガイド部８０とを備えている。【選択図】図３
2019209034.tif 000002
【特許請求の範囲】
【請求項１】
本体部と、
前記本体部から突出するように設けられ、肌に当接する長尺な固定刃であって、それぞれ短手方向に沿って延設されるとともに長手方向に沿って配列された複数のスリットを有する固定刃と、
前記固定刃の長手方向に沿って往復直線運動しながら、前記固定刃に対して摺動する可動刃と、
前記固定刃と隣り合う位置に配置されて、前記肌の法線方向に対する前記固定刃の傾きを抑制するガイド部とを備える
体毛切断装置。
【請求項２】
前記可動刃に連結されて、当該可動刃に対して駆動源からの動力を伝達する連結部を備え、
前記連結部は、前記固定刃における前記複数のスリットが形成された部位に対して、前記可動刃を介して立設している
請求項１に記載の体毛切断装置。
【請求項３】
前記ガイド部は、前記固定刃における前記短手方向に沿って配置されている
請求項１または２に記載の体毛切断装置。
【請求項４】
前記ガイド部は、前記固定刃における前記本体部側の端部にのみ配置されている
請求項３に記載の体毛切断装置。
【請求項５】
前記ガイド部は、前記固定刃における前記長手方向に沿って配置されている
請求項１または２に記載の体毛切断装置。
【請求項６】
前記ガイド部は、前記複数のスリットに対応する位置に、前記短手方向に沿って延設された複数の溝部を有する
請求項５に記載の体毛切断装置。
【請求項７】
前記ガイド部は、回転自在なローラを有する
請求項１〜６のいずれか一項に記載の体毛切断装置。
【請求項８】
前記ガイド部における前記短手方向の幅から、前記固定刃における前記短手方向の幅を引いた値は、前記固定刃における前記短手方向の幅よりも大きい
請求項１〜７のいずれか一項に記載の体毛切断装置。
【発明の詳細な説明】
【技術分野】
【０００１】
本発明は、固定刃及び可動刃を有する体毛切断装置に関する。
【背景技術】
【０００２】
従来、電気カミソリなどの体毛切断装置においては、固定刃と、往復直線移動しながら固定刃に対して摺動する可動刃とが備えられている（例えば特許文献１参照）。
【先行技術文献】
【特許文献】
【０００３】
【特許文献１】特開２０１３−１２６４３８号公報
【発明の概要】
【発明が解決しようとする課題】
【０００４】
ところで、人の肌は曲面状であるために、固定刃を当接させる位置によっては、固定刃の一部は肌に当接するものの、その他の一部が肌から浮いてしまう場合がある。このように肌に対する固定刃の密着性が低下してしまうと、毛を短く切断できないのが実状である。
【０００５】
そこで、本発明は、肌に対する固定刃の密着性を高め、毛をより短く切断することができる体毛切断装置を提供することを目的とする。
【課題を解決するための手段】
【０００６】
上記目的を達成するため、本発明の一態様に係る体毛切断装置は、本体部と、本体部から突出するように設けられ、肌に当接する長尺な固定刃であって、それぞれ短手方向に沿って延設されるとともに長手方向に沿って配列された複数のスリットを有する固定刃と、固定刃の長手方向に沿って往復直線運動しながら、固定刃に対して摺動する可動刃と、固定刃と隣り合う位置に配置されて、肌の法線方向に対する固定刃の傾きを抑制するガイド部とを備える。
【発明の効果】
【０００７】
本発明に係る体毛切断装置によれば、肌に対する固定刃の密着性を高めることができ、毛をより短く切断することができる。
【図面の簡単な説明】
【０００８】
【図１】実施の形態に係る電気カミソリの概略構成を示す斜視図である。
【図２】実施の形態に係るヘッド部を拡大して示す斜視図である。
【図３】実施の形態に係るヘッド部を拡大して示す平面図である。
【図４】実施の形態に係るヘッド部を分解して示す分解斜視図である。
【図５】実施の形態に係るヘッド部を示す断面図である。
【図６】比較例に係る、ガイド部を有さない固定刃を肌に当接させた状態を示す断面図である。
【図７】実施の形態に係る固定刃及びガイド部を肌に当接させた状態を示す断面図である。
【図８】変形例１に係るヘッド部を拡大して示す斜視図である。
【図９】変形例１に係るヘッド部を拡大して示す平面図である。
【図１０】変形例２に係るヘッド部を拡大して示す斜視図である。
【図１１】変形例２に係るヘッド部を拡大して示す平面図である。
【図１２】変形例３に係るヘッド部を拡大して示す斜視図である。
【図１３】変形例３に係るヘッド部を拡大して示す平面図である。
【発明を実施するための形態】
【０００９】
以下では、本発明の実施の形態に係る体毛切断装置について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。また、各図において、同じ構成部材については同じ符号を付している。
【００１１】
［電気カミソリ］
まず、実施の形態に係る電気カミソリについて説明する。図１は、実施の形態に係る電気カミソリ１の概略構成を示す斜視図である。電気カミソリ１は体毛切断装置の一例である。電気カミソリ１は、ユーザにより把持される本体部１０と、本体部１０から突出したヘッド部２０とを備えている。
【００１２】
本体部１０は、略棒状の部位であり、その内部に、ヘッド部２０に備わる可動刃６０を駆動させるための電動モータ（駆動源：図示省略）と、駆動源に電力を供給する電源部（図示省略）とを有している。また、本体部１０には、電動モータの回転を往復直線運動に変換してヘッド部２０に伝達する変換機構（図示省略）が設けられている。
【００１３】
図２は、実施の形態に係るヘッド部２０を拡大して示す斜視図である。図３は、実施の形態に係るヘッド部２０を拡大して示す平面図である。図４は、実施の形態に係るヘッド部２０を分解して示す分解斜視図である。図５は、実施の形態に係るヘッド部２０を示す断面図である。具体的には、図５は、図３におけるＶ−Ｖ線を含む切断線を見た断面図である。また、図５では、ヘッドケース４０の図示を省略している。
【００１４】
図２〜図５に示すように、ヘッド部２０は、体毛を切断するための部位であり、基台３０と、ヘッドケース４０と、固定刃５０と、可動刃６０と、連結部７０と、ガイド部８０とを備えている。
【００１５】
基台３０は、本体部１０よりも細く形成されており、当該本体部１０の先端部から突出している。具体的には、基台３０は、可動刃６０の往復直線運動の移動方向に沿って長尺となるように、本体部１０の先端部から突出している。つまり、基台３０の長手方向と、移動方向とは平行である。以降、基台３０の長手方向及び移動方向をＸ軸方向とし、基台３０の短手方向をＹ軸方向とし、ＸＹ平面に直交する方向をＺ軸方向とする。本実施の形態では、本体部１０の軸方向に対してＸ軸方向が傾いている場合を例示するが、本体部１０の軸方向に対してＸ軸方向が平行であってもよい。
【００１６】
基台３０におけるＹ軸方向の幅は、全体として均等となっている。基台３０の内部には、変換機構などが収容されている。基台３０の表面には、ヘッドケース４０が取り付けられており、基台３０の背面は、外方に向けて凸となる湾曲面となっている。
【００１７】
ヘッドケース４０は、固定刃５０、可動刃６０及び連結部７０などを収容する部位である。ヘッドケース４０は、移動方向に沿って長尺なケースであり、基台３０側の端部と、基台３０とは反対側の端部とが開放されている。ヘッドケース４０における本体部１０側の端部には、ガイド部８０が設けられている。ヘッドケース４０とガイド部８０とは、例えば樹脂または金属により一体成型されている。これにより、ヘッドケース４０とガイド部８０とを別部品とした場合と比べても、部品点数を削減することが可能である。
【００１８】
固定刃５０は、本体部１０から突出するようにヘッドケース４０に固定された、Ｘ軸方向に長尺な固定刃である。具体的には、固定刃５０は、ヘッドケース４０における基台３０とは反対側の端部を覆うように、ヘッドケース４０に固定されている。
【００１９】
固定刃５０は、例えば金属により形成されており、当接部５１と、支持部５２とを一体的に備えている。
【００２０】
当接部５１は、肌Ｓ（図７参照）に当接する平板状の部位である。当接部５１には、肌Ｓが当接する当接面５１ａと、当接面５１ａとは反対側の面であって、可動刃６０が摺動する摺動面５１ｂとが設けられている（図５参照）。
【００２１】
当接部５１は、Ｚ軸方向視において基本的な外形がＸ軸方向に長尺な長方形状であり、一部が切り欠かれた形状となっている。当接部５１には、それぞれＹ軸方向（短手方向）に沿って延設されるとともにＸ軸方向（長手方向）に沿って配列された複数の第一スリット５１１が形成されている。第一スリット５１１は、Ｙ軸方向の両端部が開放されている。このため、第一スリット５１１内には、Ｙ軸方向の両側方から毛Ｈ（図７参照）が進入可能となっている。
【００２２】
当接部５１において、複数の第一スリット５１１の間の部分は第一単位刃５１２である。つまり、固定刃５０は、複数の第一単位刃５１２を有している。各第一単位刃５１２における摺動面５１ｂには、Ｘ軸方向で対向する一対の縁辺にエッジ（刃）が形成されている。
【００２３】
支持部５２は、当接部５１から突出し、ヘッドケース４０に支持される部位である。支持部５２は、一対の基部５２１と、各基部５２１に設けられた複数の柱部５２２とを備えている。
【００２４】
一対の基部５２１は、当接部５１における一対の長辺のそれぞれに対して設けられている。一対の基部５２１のそれぞれは、当接部５１におけるＹ軸方向の両端部から、ヘッドケース４０に向けて突出している。一対の基部５２１のそれぞれは、当接部５１の長辺の全体に対して連続して設けられている。一対の基部５２１は、互いに対向しており、先端部に向かうほど間隔が狭まるように当接部５１に対して傾斜している。また、一対の基部５２１のそれぞれには、各第一スリット５１１が連続して設けられている（図５参照）。このように、一対の基部５２１のそれぞれに第一スリット５１１が連続して設けられていれば、当接部５１の厚みよりも長い毛Ｈであっても、第一スリット５１１内に導入することが可能である。ここで、当接部５１の厚み方向はＺ軸方向である。
【００２５】
複数の柱部５２２は、各基部５２１に対して同数設けられている。複数の柱部５２２は、各基部５２１からＺ軸方向に延設されている。複数の柱部５２２は、Ｘ軸方向に沿って配列されている。複数の柱部５２２は、ヘッドケース４０内に収容された状態で、当該ヘッドケース４０に固定されている。これにより、固定刃５０がヘッドケース４０に対して固定されている。
【００２６】
可動刃６０は、Ｘ軸方向に沿って往復直線運動しながら、固定刃５０に対して摺動する可動刃である。具体的には、可動刃６０は、一対の基部５２１の間で、当接部５１に重なるように配置されている。つまり、可動刃６０は、固定刃５０の当接部５１に対して、ヘッドケース４０側で重なっている。可動刃６０には、固定刃５０に対して摺動する摺動面６０ａと、摺動面６０ａとは反対側の面であって、連結部７０が連結される連結面６０ｂとが設けられている（図５参照）。
【００２７】
可動刃６０は、Ｚ軸方向視において基本的な外形がＸ軸方向に長尺な長方形状であり、一部が切り欠かれた形状となっている。可動刃６０における一対の長辺のそれぞれには、Ｙ軸方向に沿って延設されるとともにＸ軸方向に沿って配列された複数の第二スリット６１が形成されている。各第二スリット６１は、一端部が開放されて、他端部が閉塞されている。Ｘ軸方向において、複数の第二スリット６１の間の部分は、第二単位刃６２である。つまり、可動刃６０における一対の長辺には、それぞれ複数の第二単位刃６２が設けられている。各第二単位刃６２における摺動面６０ａには、Ｘ軸方向で対向する一対の縁辺にエッジ（刃）が形成されている。
【００２８】
連結部７０は、変換機構の一部をなす部材であり、可動刃６０に連結されて、当該可動刃６０に対して駆動源からの動力を伝達する部材である。具体的には、連結部７０は、台座７１と、リンク部７２とを一体的に備えている。
【００２９】
台座７１は、Ｘ軸方向に長尺に形成されており、その底面に対して可動刃６０が取り付けられている。台座７１の底面には、複数の突起７３が設けられており、各突起７３が各第二スリット６１内に配置されている。各突起７３は、固定刃５０の当接部５１を肌に押し当てたとき、肌Ｓが、第一スリット５１１を通じて第二スリット６１まで過剰に入り込むことを抑制するものである。この突起７３は省略することもできるが、設けておくことにより、可動刃６０による肌Ｓへの刺激を予防又は低減することができる。また、台座７１には、図示しない弾性部材が取り付けられており、この弾性部材の付勢力によって台座７１が可動刃６０を固定刃５０に押し付けている。この状態では、連結部７０の台座７１は、固定刃５０における複数の第一スリット５１１が形成された部位（当接部５１）に対して、可動刃６０を介して立設している。
【００３０】
リンク部７２は、一対設けられており、台座７１における底面とは反対側の面から突出している。各リンク部７２は、変換機構の他の部位に対して連結されている。駆動源からの動力が変換機構の他の部位を介してリンク部７２に伝達すると、リンク部７２及び台座７１がＸ軸方向に揺動する。ここで、上記した弾性部材の付勢力によって、台座７１が可動刃６０を固定刃５０に押し付けているので、可動刃６０は、リンク部７２及び台座７１の揺動に連動して、Ｘ軸方向に往復直線運動をすることになる。
【００３１】
この可動刃６０の往復直線運動時においては、第一単位刃５１２の摺動面５１ｂと、第二単位刃６２の摺動面６０ａとの互いのエッジがＸ軸方向で繰り返し入れ違う。第一単位刃５１２の摺動面５１ｂと、第二単位刃６２の摺動面６０ａとの互いのエッジ間に毛Ｈが進入していると、この入れ違い動作によって毛Ｈは切断される。
【００３２】
ガイド部８０は、固定刃５０と隣り合う位置に配置されて、肌Ｓの法線方向に対する固定刃５０の傾きを抑制する部位である。具体的には、ガイド部８０は、ヘッドケース４０における本体部１０側の端部でＹ軸方向（短手方向）に沿って配置されている。つまり、ガイド部８０は、固定刃５０における本体部１０側の短辺に対応する位置に配置されている。ガイド部８０は、Ｚ軸方向視でＹ軸方向に長尺な略長方形状に形成されている。
【００３３】
図５に示すように、ガイド部８０における肌Ｓに当接するガイド面８１は、固定刃５０の当接面５１ａと平行に形成されている。ガイド面８１は、当接面５１ａと摺動面５１ｂとの間に配置されている。また、ガイド面８１におけるＹ軸方向の両端部は、Ｒ形状となっている。このため、ガイド面８１をＹ軸方向に肌Ｓ上で滑らせたときに、肌Ｓに対する刺激を抑制している。
【００３４】
図６は、比較例に係る、ガイド部８０を有さない固定刃５０を肌Ｓに当接させた状態を示す断面図である。図６に示すようにガイド部８０のない比較例では、湾曲した肌Ｓに対して固定刃５０を当接させると、当該固定刃５０が肌Ｓの法線方向Ｎに対して傾斜し、部分的に肌Ｓから浮く場合がある。この浮きにより、肌Ｓ及び毛Ｈが固定刃５０の第一スリット５１１から離間し、毛Ｈの根本が可動刃６０から離間する。このため、毛Ｈを短く切断することが阻害される。
【００３５】
図７は、実施の形態に係る固定刃５０及びガイド部８０を肌Ｓに当接させた状態を示す断面図である。図７に示すように、ガイド部８０のガイド面８１が肌Ｓを押圧して平坦状に矯正するので、固定刃５０に対しては肌Ｓが略平坦状で当接する。これにより、肌Ｓの法線方向Ｎに対する固定刃５０の傾きが抑制されて、固定刃５０における部分的な浮きが抑制される。このため、肌Ｓ及び毛Ｈは固定刃５０の第一スリット５１１内に導入されやすくなり、毛Ｈの根本が可動刃６０に接近する。したがって、毛Ｈを短く切断することが可能となる。
【００３６】
ここで、ガイド部８０のガイド面８１が固定刃５０の当接面５１ａから外方に突出している場合、つまり、ガイド面８１よりも連結部７０側に当接面５１ａがある場合を想定する。例えば、図７において一点鎖線Ｌ１の位置にガイド面８１がある場合である。この場合には、ガイド面８１と可動刃６０との間隔が大きくなるため、毛Ｈの根本が可動刃６０から離間し、毛Ｈを短く切断することが困難となる。
【００３７】
一方、ガイド面８１が固定刃５０の摺動面５１ｂよりも連結部７０側にある場合を想定する。例えば、図７において二点鎖線Ｌ２の位置にガイド面８１がある場合である。この場合には、固定刃５０の当接面５１ａがガイド面８１から突出するために、肌Ｓの曲面がガイド面８１によって平坦状に矯正されにくい。したがって、固定刃５０に対して肌Ｓが部分的に浮き、結果として毛Ｈを短く切断できないおそれがある。
【００３８】
本実施の形態では、上述したように、ガイド部８０のガイド面８１が、当接面５１ａと摺動面５１ｂとの間に配置されているので、毛Ｈを確実に短く切断することが可能となる。
【００３９】
また、図３に示すように、ガイド部８０におけるＹ軸方向の幅Ｗ１から、固定刃５０におけるＹ軸方向の幅Ｗ２を引いた値は、幅Ｗ２よりも大きい。換言すると、ガイド部８０において、固定刃５０からＹ軸方向にはみ出した部分の幅（幅Ｗ１から幅Ｗ２を引いた値に相当）は、固定刃５０の幅Ｗ２よりも大きくなる。この関係性であるために、ガイド部８０において、固定刃５０からＹ軸方向にはみ出した部分が肌Ｓに当接することにより、肌Ｓの法線方向Ｎに対する固定刃５０の傾きを確実に抑制することができる。
【００４０】
特に、本実施の形態では、ガイド部８０のＹ軸方向の中心と、固定刃５０のＹ軸方向の中心とは一致している。このため、ガイド部８０において、固定刃５０からＹ軸方向にはみ出した部分は、Ｙ軸方向の両端部で同じ幅ｗとなる。つまり、ガイド部８０において、固定刃５０からＹ軸方向にはみ出した部分を、Ｙ軸方向で偏りなく肌Ｓに密着させることができる。したがって、肌Ｓの法線方向Ｎに対する固定刃５０の傾きを確実に抑制することができる。
【００４１】
また、ガイド部８０におけるＹ軸方向の幅Ｗ１は、本体部１０のＹ軸方向の幅Ｗ３よりも小さいことが好ましい。この関係性であれば、ヘッド部２０を小型化することができ、小回りのきいた操作を行うことができる。つまり、電気カミソリ１自体の操作性を高めることが可能である。
【００４２】
［効果など］
以上のように、本実施の形態に係る電気カミソリ１は、本体部１０と、本体部１０から突出するように設けられ、肌Ｓに当接する長尺な固定刃５０であって、それぞれ短手方向（Ｙ軸方向）に沿って延設されるとともに長手方向（Ｘ軸方向）に沿って配列された複数の第一スリット５１１を有する固定刃５０と、固定刃５０の長手方向に沿って往復直線運動しながら、固定刃５０に対して摺動する可動刃６０と、固定刃５０と隣り合う位置に配置されて、肌Ｓの法線方向Ｎに対する固定刃５０の傾きを抑制するガイド部８０とを備えている。
【００４３】
これによれば、固定刃５０と隣り合う位置に配置されたガイド部８０が肌Ｓを押圧して平坦状に矯正するので、固定刃５０に対しては肌Ｓが略平坦状で当接する。これにより、肌Ｓの法線方向Ｎに対する固定刃５０の傾きが抑制されて、固定刃５０における部分的な浮きが抑制される。このため、肌Ｓ及び毛Ｈは固定刃５０の第一スリット５１１内に導入されやすくなり、毛Ｈの根本が可動刃６０に接近する。したがって、毛Ｈを短く切断することが可能となる。このように、本実施の形態に係る電気カミソリ１によれば、肌Ｓに対する固定刃５０の密着性を高めることができ、毛Ｈをより短く切断することができる。
【００４４】
また、電気カミソリ１は、可動刃６０に連結されて、当該可動刃６０に対して駆動源からの動力を伝達する連結部７０を備え、連結部７０は、固定刃５０における複数の第一スリット５１１が形成された部位（当接部５１）に対して、可動刃６０を介して立設している。
【００４５】
これによれば、連結部７０が固定刃５０の当接部５１に対し可動刃６０を介して立設しているので、肌Ｓの法線方向Ｎに対して固定刃５０が傾きやすい形態である。しかしながら、固定刃５０の隣り合う位置に設けられたガイド部８０が肌Ｓの法線方向Ｎに対する固定刃５０の傾きを抑制する。これにより、固定刃５０が肌Ｓの法線方向Ｎに対して傾きやすい形態の電気カミソリ１であっても、肌Ｓに対する固定刃５０の密着性を高めることができ、毛Ｈをより短く切断することができる。
【００４６】
また、ガイド部８０は、固定刃５０における短手方向に沿って配置されている。
【００４７】
これによれば、ガイド部８０が固定刃５０における短手方向に沿って配置されているので、ガイド部８０が複数の第一スリット５１１をＹ軸方向（短手方向）で閉塞しない。したがって、第一スリット５１１に対して毛Ｈを確実に導入して切断することができる。
【００４８】
また、ガイド部８０は、固定刃５０における本体部１０側の端部にのみ配置されている。
【００４９】
ここで、ユーザは、固定刃５０のＸ軸方向における先端部を肌Ｓに当てることで、毛Ｈを残す部分の形を整える場合がある。この際、固定刃５０のＸ軸方向における先端部側にガイド部８０があると、このガイド部８０が邪魔となり、毛Ｈを残す部分の形を整えにくい。しかし、上述したように固定刃５０における本体部１０側の端部にのみガイド部８０が配置されていれば、固定刃５０における本体部１０とは反対側の端部、つまり、固定刃５０のＸ軸方向における先端部を全体として露出させることができる。したがって、毛Ｈを残す部分の形を整える際の操作性を高めることができる。
【００５０】
なお、毛Ｈの形を整える際の操作性を考慮しないのであれば、固定刃５０における本体部１０とは反対側の端部にガイド部を設けてもよい。
【００５１】
また、ガイド部８０における短手方向（Ｙ軸方向）の幅Ｗ１から、固定刃５０における短手方向の幅Ｗ２を引いた値は、固定刃５０における短手方向の幅Ｗ２よりも大きい。
【００５２】
この関係性であるために、ガイド部８０において、固定刃５０からＹ軸方向にはみ出した部分が肌Ｓに当接することにより、肌Ｓの法線方向Ｎに対する固定刃５０の傾きを確実に抑制することができる。
【００５３】
［変形例１］
上記実施の形態では、固定刃５０における短辺に対応する位置にガイド部８０が設けられている場合を例示した。この変形例１では、固定刃５０における長辺に対応する位置にガイド部が設けられている場合を例示する。
【００５４】
図８は、変形例１に係るヘッド部２０Ａを拡大して示す斜視図である。図９は、変形例１に係るヘッド部２０Ａを拡大して示す平面図である。なお、以降の説明において、上記実施の形態と同一の部分については同一の符号を付してその説明を省略する場合がある。
【００５５】
図８及び図９に示すように、変形例１に係るヘッド部２０Ａでは、固定刃５０の長辺に対応する位置にガイド部８０ａ、８０ｂが設けられている。つまり、ガイド部８０ａ、８０ｂは、固定刃５０の長手方向（Ｘ軸方向）に沿って配置されている。具体的には、固定刃５０の一対の長辺のそれぞれに対して、２つのガイド部８０ａ、８０ｂが設けられている。固定刃５０の一方の長辺に対して設けられたガイド部８０ａ、８０ｂと、他方の長辺に対して設けられたガイド部８０ａ、８０ｂとは、固定刃５０を挟んで対向する位置に配置されている。
【００５６】
ガイド部８０ａは、固定刃５０の長辺において本体部１０側の端部にＹ軸方向で対向するように配置されている。ガイド部８０ｂは、固定刃５０の長辺の中間部分にＹ軸方向で対向するように配置されている。
【００５７】
ガイド部８０ａ、８０ｂのガイド面８１ａ、８１ｂは、固定刃５０の当接面５１ａと平行に形成されている。ガイド面８１ａ、８１ｂには、固定刃５０の複数の第一スリット５１１に対応する位置に、複数の溝部８１１ａ、８１１ｂが形成されている。各溝部８１１ａ、８１１ｂは、Ｙ軸方向に沿って延設されており、その両端部が開放されている。このため、各溝部８１１ａ、８１１ｂ内には、Ｙ軸方向の両側方から毛Ｈが進入可能となっている。
【００５８】
また、複数の溝部８１１ａ、８１１ｂは、複数の第一スリット５１１に対して一対一で設けられている。これにより、各溝部８１１ａ、８１１ｂ内に進入した毛Ｈを、各第一スリット５１１にスムーズに案内することができる。
【００５９】
以上のように、ガイド部８０ａ、８０ｂは、固定刃５０における長手方向に沿って配置されている。
【００６０】
これによれば、ガイド部８０ａ、８０ｂが固定刃５０における長手方向に沿って配置されているので、各第一スリット５１１の近傍でガイド部８０ａ、８０ｂが肌Ｓに当接することになる。つまり、第一スリット５１１周辺での固定刃５０と肌Ｓとの密着性を高めることができ、毛Ｈをより確実に短く切断することができる。
【００６１】
また、ガイド部８０ａ、８０ｂは、複数の第一スリット５１１に対応する位置に、短手方向（Ｙ軸方向）に沿って延設された複数の溝部８１１ａ、８１１ｂを有している。
【００６２】
これによれば、複数の溝部８１１ａ、８１１ｂが複数の第一スリット５１１に対応する位置に設けられているので、複数の溝部８１１ａ、８１１ｂが複数の第一スリット５１１への毛Ｈの進入経路となる。したがって、ガイド部８０ａ、８０ｂが第一スリット５１１への毛Ｈの進入を妨げにくくなり、毛Ｈをより確実に短く切断することができる。
【００６３】
なお、変形例１では、複数の溝部８１１ａが複数の第一スリット５１１に対して一対一で設けられている場合を例示した。しかしながら、一つの溝部８１１ａが複数の第一スリット５１１に対応するように設けられていてもよい。
【００６４】
［変形例２］
変形例１では、不可動なガイド部８０ａ、８０ｂを例示した。この変形例２では、可動式のガイド部について例示する。
【００６５】
図１０は、変形例２に係るヘッド部２０Ｃを拡大して示す斜視図である。図１１は、変形例２に係るヘッド部２０Ｃを拡大して示す平面図である。なお、以降の説明において、上記実施の形態と同一の部分については同一の符号を付してその説明を省略する場合がある。
【００６６】
図１０及び図１１に示すように、変形例２に係るヘッド部２０Ｃでは、固定刃５０の長辺に対応する位置にガイド部８０ｃ、８０ｄが設けられている。具体的には、固定刃５０の一対の長辺のそれぞれに対して、２つのガイド部８０ｃ、８０ｄが設けられている。固定刃５０の一方の長辺に対して設けられたガイド部８０ｃ、８０ｄと、他方の長辺に対して設けられたガイド部８０ｃ、８０ｄとは、固定刃５０を挟んで対向する位置に配置されている。
【００６７】
ガイド部８０ｃは、固定刃５０の長辺において本体部１０側の端部にＹ軸方向で対向するように配置されている。ガイド部８０ｄは、固定刃５０の長辺の中間部分にＹ軸方向で対向するように配置されている。
【００６８】
ガイド部８０ｃ、８０ｄは、回転自在なローラ８１３ｃを有している。ローラ８１３ｃは、その回転軸がＸ軸方向に沿うように配置されている。このため、固定刃５０が肌Ｓに当接した状態でＹ軸方向に移動されると、ローラ８１３ｃも肌Ｓ上を回転しながら移動する。
【００６９】
このように、ガイド部８０ｃ、８０ｄは、回転自在なローラ８１３ｃを有しているので、固定刃５０及びガイド部８０ｃ、８０ｄを肌Ｓに当接させた状態でスムーズに移動させることができる。したがって、毛Ｈの切断もスムーズに行うことができる。
【００７０】
なお、ローラ８１３ｃの外周面は、複数の第一スリット５１１に対応する位置に、全周にわたって連続した複数の溝部を有していてもよい。このローラ８１３ｃの溝部は、複数の第一スリット５１１への毛Ｈの進入経路となる。つまり、ローラ８１３ｃが第一スリット５１１への毛Ｈの進入を妨げにくくなり、毛Ｈをより確実に短く切断することができる。
【００７１】
また、変形例１及び変形例２では、固定刃５０の長辺に対して部分的にガイド部８０ａ、８０ｂが設けられている場合を例示した。しかしながら、固定刃５０の長辺の全体に対してガイド部が設けられていてもよい。
【００７２】
［変形例３］
変形例２では、ローラ８１３ｃを有するガイド部８０ｃ、８０ｄが固定刃５０の長辺に対応する位置に設けられている場合を例示した。この変形例３では、ローラを有するガイド部が固定刃５０の短辺に対応する位置に設けられている場合を例示する。
【００７３】
図１２は、変形例３に係るヘッド部２０Ｅを拡大して示す斜視図である。図１３は、変形例３に係るヘッド部２０Ｅを拡大して示す平面図である。なお、以降の説明において、上記実施の形態と同一の部分については同一の符号を付してその説明を省略する場合がある。
【００７４】
図１２及び図１３に示すように、変形例３に係るヘッド部２０Ｅでは、固定刃５０の短辺に対応する位置にガイド部８０ｅが設けられている。具体的には、ガイド部８０ｅは、ヘッドケース４０における本体部１０側の端部に設けられている。つまり、ガイド部８０ｅは、固定刃５０における本体部１０側の短辺に対応する位置に配置されている。
【００７５】
ガイド部８０ｅは、回転自在な一対のローラ８１３ｅを有している。一対のローラ８１３ｅは、Ｙ軸方向で互いに対向する位置に配置されている。一対のローラ８１３ｅのそれぞれは、その回転軸がＸ軸方向に沿うように配置されている。このため、固定刃５０が肌Ｓに当接した状態でＹ軸方向に移動されると、ローラ８１３ｅも肌Ｓ上を回転しながら移動する。
【００７６】
つまり、変形例３の場合においても、ガイド部８０ｅが、回転自在なローラ８１３ｅを有しているので、固定刃５０及びガイド部８０ｅを肌Ｓに当接させた状態でスムーズに移動させることができる。したがって、毛Ｈの切断もスムーズに行うことができる。
【００７７】
［その他］
以上、本発明に係る体毛切断装置について、上記実施の形態に基づいて説明したが、本発明は、上記実施の形態に限定されるものではない。
【００７８】
例えば、上記実施の形態では、ヘッドケース４０とガイド部８０とが一体成型されている場合を例示した。しかし、固定刃とガイド部とが一体成型されていてもよい。この場合、固定刃とガイド部とは、例えば金属または樹脂などの同じ素材から形成されることになる。これにより、固定刃とガイド部とを別部品とした場合と比べても、部品点数を削減することが可能である。
【００７９】
また、上記実施の形態では、体毛切断装置として電気カミソリ１を例示したが、体毛切断装置としては、体毛を切断する装置であれば如何なるものであってもよい。体毛切断装置のその他の例としては、バリカン、トリマーなどが挙げられる。
【００８０】
また、上記実施の形態では、駆動源として回転式の電動モータを例示した。しかしながら、駆動源としてリニアアクチュエータを用いることも可能である。この場合、変換機構は不要となり、リニアアクチュエータの駆動軸を連結部７０のリンク部７２に連結すればよい。
【００８１】
また、上記実施の形態では、可動刃６０のＹ軸方向の両側方に、固定刃５０の一対の基部５２１が設けられ、部分的に閉塞されている場合を例示した。しかしながら、可動刃６０のＹ軸方向の両側方が全体として開放されていてもよい。
【００８２】
また、その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【産業上の利用可能性】
【００８３】
本発明は、固定刃及び可動刃を有する体毛切断装置に対して適用可能である。
【符号の説明】
【００８４】
１  電気カミソリ（体毛切断装置）
１０  本体部
２０、２０Ａ、２０Ｃ、２０Ｅ  ヘッド部
３０  基台
４０  ヘッドケース
５０  固定刃
５１  当接部
５１ａ  当接面
５１ｂ、６０ａ  摺動面
５２  支持部
６０  可動刃
６０ｂ  連結面
６１  第二スリット
６２  第二単位刃
７０  連結部
７１  台座
７２  リンク部
７３  突起
８０、８０ａ、８０ｂ、８０ｃ、８０ｄ、８０ｅ  ガイド部
８１、８１ａ、８１ｂ  ガイド面
５１１  第一スリット（スリット）
５１２  第一単位刃
５２１  基部
５２２  柱部
８１１ａ、８１１ｂ  溝部
８１３ｃ、８１３ｅ  ローラ
Ｈ  毛
Ｎ  法線方向
Ｓ  肌
ｗ、Ｗ１、Ｗ２、Ｗ３  幅
【図１】
2019209034.tif 000003
【図２】
2019209034.tif 000004
【図３】
2019209034.tif 000005
【図４】
2019209034.tif 000006
【図５】
2019209034.tif 000007
【図６】
2019209034.tif 000008
【図７】
2019209034.tif 000009
【図８】
2019209034.tif 000010
【図９】
2019209034.tif 000011
【図１０】
2019209034.tif 000012
【図１１】
2019209034.tif 000013
【図１２】
2019209034.tif 000014
【図１３】
2019209034.tif 000015